(57)【要約】      （修正有）【課題】爪先寄り部分の足指の通気性が改善され、且つ、外観を安全性や耐久性を向上させることができた靴下の提供。【解決手段】脚部１、踵部２、足甲部３と足底部４、爪先部５から構成される靴下であり、爪先部５は、複数本の指袋に分割してもよく、しなくてもよい。足甲部３の先端寄り部分と、足底部４の先端寄り部分には、綿の表糸のみで編成された薄編部３１、４１を形成する。靴下の他の部分は、２本（又はそれ以上）の糸を引き揃えて編成する。【選択図】図１
0003131036.tif 000002
【実用新案登録請求の範囲】
【請求項１】
足甲部と足裏部との先端に爪先部を設けた靴下本体を備えた靴下において、靴下本体は複数本の糸を引き揃えて編成されたものであり、この靴下本体における足甲部の先端寄り部分と足裏部の先端寄り部分との少なくとも何れか一方に薄編部が形成されたものであり、この薄編部は靴下本体の他の部分よりも少ない本数の糸によって形成されたものであることを特徴とする通気性の改善された靴下。
【請求項２】
靴下本体は綿糸からなる表糸と合成繊維糸からなる裏糸とを引き揃えて編成されたものであり、薄編部は綿糸からなる表糸のみで編成されたものであり、薄編部と靴下本体の他の部分との編組織は糸の使用本数を除いては同一であり、この薄編部が爪先部から基端側へ０〜６０mmの範囲内に形成されたものであること特徴とする請求項１記載の通気性の改善された靴下。
【請求項３】
爪先部は複数本の指袋に分割されたものであることを特徴とする請求項２記載の通気性の改善された靴下。
【考案の詳細な説明】
【技術分野】
【０００１】
本願考案は、靴下、特に、通気性の改善された靴下に関するもである。
【背景技術】
【０００２】
従来、通気性を改善して指が蒸れるのを防止した靴下に関しては、特許文献１や特許文献２に示すものが知られている。これらの特許文献に記載の靴下は、爪先寄り部分がメッシュ構造となっているため、当該部分の通気性が他の部分に比して改善され、その結果、指（指の付け根を含む）が蒸れるのを防止する事ができる。
例えば、特許文献１には、その図３および図４に、従来技術として、先端側につま先編立部と、基端側に口ゴム部とを備え、中間に踵部とを備えた通常の形の靴下の足底側に、通気性を良くするために、メッシュを設けた構成の靴下が開示されている。この靴下は、つま先編立部よりも基端側にメッシュを設けたものである。また、この特許文献１の図１および図２には、つま先編立部中に、メッシュを編成する技術を開示している。
ところが、メッシュは、通常の編み目に比して著しく開口面積が大きいため、外観が通常の靴下とは異なってしまうことは勿論、靴下を履くとき、指がメッシュにひっかかったりする。特に、子供の指は小さく柔らかいため、引っかかりやすい。しかも、大人が子供の靴下を履かせる時には、指が引っかかったままの靴下を大人が無理やり引き上げてしまうことがあり、そんな時には指が反り上がってしまい、子供が大変痛い思いをしてしまう。また、メッシュは通常の編組織分と比較すると強度が極端に弱くなるため、歩行や運動を繰り返すうちに破損しやすいという問題が指摘されている。
【０００３】
【特許文献１】登録実用新案第３１１６２６１号公報
【特許文献２】特開２００５−１４６４２１号公報
【考案の開示】
【考案が解決しようとする課題】
【０００４】
本願考案は、爪先寄り部分の足指の通気性が改善され、且つ、外観を安全性や耐久性を向上させることができた靴下の提供を目的とする。
【課題を解決するための手段】
【０００５】
本願の請求項１に係る考案は、足甲部と足裏部との先端に爪先部を設けた靴下本体を備えた靴下において、靴下本体は複数本の糸を引き揃えて編成されたものであり、この靴下本体における足甲部の先端寄り部分と足裏部の先端寄り部分との少なくとも何れか一方に薄編部が形成されたものであり、この薄編部は靴下本体の他の部分よりも少ない本数の糸によって形成されたものであることを特徴とする通気性の改善された靴下を提供する。
本願の請求項２に係る考案は、靴下本体は綿糸からなる表糸と合成繊維糸からなる裏糸とを引き揃えて編成されたものであり、薄編部は綿糸からなる表糸のみで編成されたものであり、薄編部と靴下本体の他の部分との編組織は糸の使用本数を除いては同一であり、この薄編部が爪先部から基端側へ０〜６０mmの範囲内に形成されたものであること特徴とする請求項１記載の通気性の改善された靴下を提供する。
本願の請求項３に係る考案は、爪先部は複数本の指袋に分割されたものであることを特徴とする請求項２記載の通気性の改善された靴下提供することにより、上記の課題を解決する。
【考案の効果】
【０００６】
本願の請求項１に係る考案は、本体における足甲部の先端寄り部分と足裏部の先端寄り部分との少なくとも何れか一方に薄編部が形成されたものであり、この薄編部は靴下本体の他の部分よりも少ない本数の糸によって形成されたものであるため、糸の使用本数が少ない分、薄編部の通気性が他の部分よりも改善されたという効果を発揮する。しかも、メッシュなどの大きな開口を有する編組織で通気性が改善されたものではないため、外観が通常の靴下と変わらず、また、靴下を履く際に指が開口にひっかかったりすることも防止されるという効果を発揮する。
本願の請求項２に係る考案は、靴下本体は綿糸と合成繊維糸から編成されたものであり、薄編部は合成繊維糸に比して通気性の高い綿糸からなる表糸のみで編成されたものであるため、薄編部の通気性は、よりよく改善されたものである。しかも、薄編部と靴下本体の他の部分との編組織は糸の使用本数を除いては同一であるため、外観上は通常の靴下と遜色の無いものとすることができる。
本願の請求項３に係る考案は、爪先部は複数本の指袋に分割されたものであるため、足指の付け根から足先まで通気性が十分に確保された靴下を提供することができたものである。
【考案を実施するための最良の形態】
【０００７】
以下、図面に基づき本願考案の実施の形態を説明する。
図１は、本願考案の実施の形態に係る靴下の側面図である。図２（Ａ）は同靴下の平面図であり、（Ｂ）はその変更例を示す平面図である。図３（Ａ）は同靴下の靴下本体の組織図であり、（Ｂ）は薄編部の組織図である。
【０００８】
この靴下は、基端側から先端側に向けて、脚部１、踵部２、足甲部３と足底部４、爪先部５から構成された靴下本体が常法に従って連続して編成されている。脚部の上端には口ゴム部を設けてもよく、あるいは設けずに実施することもできる。爪先部５は、図２（Ａ）のように、複数本の指袋５１に分割したものであってもよく、図２（Ｂ）のように、指袋を設けないものとしてもよい。また脚部１のない靴下として実施することもできる。
【０００９】
靴下の種類は、成人男子用の靴下、成人女子用の靴下、年少者用の靴下など、特に限定されないが、いずれの場合についても、図３（Ａ）に示すように、表糸ａと裏糸ｂとの引き揃え編となっている。編地の編成は平編、リブ編、パイル編、ジャガード編、リンクス編など、適宜変更して実施し得る。
【００１０】
この靴下の足甲部３の先端寄り部分と、足底部４の先端寄り部分には、図３（Ｂ）に示すような表糸ａのみで編成された薄編部３１、４１が形成されている。この薄編部３１、４１は、足甲部３、足裏部４の先端寄りに設けられる。具体的には、足甲部３、足裏部４の先端から基端側に向けて０〜６０mmの範囲内に設ける。またこの薄編部３１、４１は、足甲部３と足裏部４との双方に設けるが、何れか一方にのみ設けるようにしてもよい。
【００１１】
足甲部３側の薄編部３１と足裏部４側の薄編部４１とは、同一の編組織で編成することもでき、或いは、足甲部３側の薄編部３１を平編とし、足裏部４側の薄編部４１をリブ編とするなど、異なる編組織とすることもできる。ただ、いずれの場合にも、薄編部３１、４１が隣接する他の部分が２本（又はそれ以上）の糸を用いて編成するのに対して、薄編部３１、４１はこれより少ない本数の糸を用いる。これにより、例えば、表糸ａには綿糸、裏糸ｂには合成繊維糸（特にポリウレタン糸）や綿糸を用いて薄編部３１、４１以外の部分を編成し、薄編部３１、４１は綿糸のみで編成する。これにより、他の部分に比して、通気性がよく、使用者に涼感を与えることができる。
【００１２】
表糸ａの編組織は、他の部分と同じ組織とするため、靴下の表から見た目は変わらず、耐久性もメッシュに比して高いものである。しかも、メッシュのように大きな開口を有するものではないため、靴下を履いていく際に、指が引っ掛かったりすることも防止できるものである。
【図面の簡単な説明】
【００１３】
【図１】本願考案の実施の形態に係る靴下の側面図である。
【図２】（Ａ）は同靴下の平面図であり、（Ｂ）はその変更例を示す平面図である。
【図３】（Ａ）は同靴下の靴下本体の組織図であり、（Ｂ）は薄編部の組織図である。
【符号の説明】
【００１４】
１    脚部
２    踵部
３    足甲部
４    足底部
５    爪先部
３１  薄編部
４１  薄編部
ａ    表糸
ｂ    裏糸
【図１】
0003131036.tif 000003
【図２】
0003131036.tif 000004
【図３】
0003131036.tif 000005